(57)【特許請求の範囲】
【請求項１】
ＩＣ接点ブロックをＩＣカードのコンタクト端子パターンに向かって接触及び離脱させる接触・離脱機構を有するＩＣカードリーダであって、前記接触・離脱機構をカード挿入方向奥側リンクとカード挿入方向手前側リンクとを有するリンク機構として構成し、前記カード挿入方向奥側リンクの一端をＩＣカードリーダと前記カード挿入方向奥側リンクとを回動自在に連結する支軸を介して前記ＩＣカードリーダと連結すると共に他端をＩＣ接点ブロックのカード挿入方向奥側接点側と前記カード挿入方向奥側リンクとを回動自在に連結する支軸を介して前記ＩＣ接点ブロックと連結し、前記カード挿入方向手前側リンクの一端を前記ＩＣカードリーダと前記カード挿入方向手前側リンクとを回動自在に連結する支軸を介して前記ＩＣカードリーダと連結すると共に他端を前記ＩＣ接点ブロックのカード挿入方向手前側接点側と前記カード挿入方向手前側リンクとを回動自在に連結する支軸を介して前記ＩＣ接点ブロックと連結し、前記ＩＣカードリーダとカード挿入方向手前側リンクとを回動自在に連結する支軸を前記ＩＣカードリーダとカード挿入方向奥側リンクとを回動自在に連結する支軸よりも前記ＩＣカードに近い位置に設けると共に前記カード挿入方向奥側リンクの長さを前記カード挿入方向手前側リンクの長さよりも長くすることにより、前記リンク機構が回動して前記ＩＣ接点ブロックが前記ＩＣカードのコンタクト端子パターンに接触するときに前記カード挿入方向奥側接点と前記カード挿入方向手前側接点とのカード接触開始時間に差が生じることを特徴とするＩＣカードリーダ。
【発明の詳細な説明】
【０００１】
【発明の属する技術分野】
本発明は、ＩＣカードリーダに関する。更に詳述すると、本発明はＩＣカードの挿入によってＩＣ接点ブロック（接点ホルダーとも呼ばれる。）をＩＣカードに接触させるＩＣカードリーダに関するものである。
【０００２】
【従来の技術】
ＩＣカードリーダとして、カードの挿入・引抜きを手動によって行うものがある。一方、ＩＣカードリーダでは、カードとの間でデータ通信を行う場合に所定位置に停止させたＩＣカードのコンタクト端子パターンにＩＣ接点ばねを接触させる必要がある。
【０００３】
このため、従来の手動式ＩＣカードリーダでは、図９及び図１０に示すように、ＩＣ接点ブロック１０１をリンク１０２，１０３によってカード走行路１０４に突出可能に支持すると共に、ＩＣ接点ブロック１０１に度当たり１０８を形成し、ＩＣカード１０５の挿入によってＩＣ接点ブロック１０１を押し下げて接触させるタイプのものがある。ＩＣ接点ブロック１０１はスプリング１０６によってカード挿入方向の手前側に引き寄せられており、挿入されたＩＣカード１０５は度当たり１０８に当たってスプリング１０６を伸ばしながらＩＣ接点ブロック１０１を移動させる。したがって、ＩＣ接点ブロック１０１はＩＣカード１０５と一緒に移動しながら徐々に下降し、ＩＣ接点ばね１０７をＩＣカード１０５のコンタクト端子パターンに接触させる。ＩＣカード１０５がＩＣ接点ブロック１０１の度当たり１０８に当たることで正確に位置決めされているので、ＩＣ接点ブロック１０１のＩＣ接点ばね１０７は対応するＩＣカード１０５のコンタクト端子パターンに正確に接触する。
【０００４】
なお、図中符号１１０は磁気ヘッド、符号１１１は異物排出口である。
【０００５】
【発明が解決しようとする課題】
しかしながら、上述の手動式ＩＣカードリーダでは、ＩＣカード１０５の挿入によってＩＣ接点ブロック１０１を押し下げるのに従い、ＩＣカード１０５とカード走行路１０４のカード走行面１０９との間に生じる摩擦力が増加することになる。つまり、ＩＣ接点ブロック１０１が下がることで２列のＩＣ接点ばね１０７が同時にＩＣカード１０５をカード走行面１０９に強く押し付けることになり、ＩＣカード１０５の挿入負荷となる摩擦力が増加する。このため、ＩＣカード挿入に要する力が途中から急に増加し、カード挿入の操作性を悪化させていた。また、カード挿入途中での挿入負荷の急激な増加を利用者がカード挿入完了と間違える虞もあり、利用者が間違えてＩＣカード１０５の挿入を途中で止めてしまうと、ＩＣカード１０５のコンタクト端子パターンとＩＣ接点ブロック１０１のＩＣ接点ばね１０７との良好な接触が得られないばかりでなく、ＩＣ接点ばね１０７の接触位置が正規の位置ではないために誤作動の原因となる虞もあった。
【０００６】
本発明は、ＩＣ接点ブロックをカード走行路に突出させることによるカード挿入負荷の急増を抑えることができるＩＣカードリーダを提供することを目的とする。
【０００７】
【課題を解決するための手段】
かかる目的を達成するため、請求項１記載の発明は、ＩＣ接点ブロックをＩＣカードのコンタクト端子パターンに向かって接触及び離脱させる接触・離脱機構を有するＩＣカードリーダであって、接触・離脱機構をカード挿入方向奥側リンクとカード挿入方向手前側リンクとを有するリンク機構として構成し、カード挿入方向奥側リンクの一端をＩＣカードリーダとカード挿入方向奥側リンクとを回動自在に連結する支軸を介してＩＣカードリーダと連結すると共に他端をＩＣ接点ブロックのカード挿入方向奥側接点側とカード挿入方向奥側リンクとを回動自在に連結する支軸を介してＩＣ接点ブロックと連結し、カード挿入方向手前側リンクの一端をＩＣカードリーダとカード挿入方向手前側リンクとを回動自在に連結する支軸を介してＩＣカードリーダと連結すると共に他端をＩＣ接点ブロックのカード挿入方向手前側接点側とカード挿入方向手前側リンクとを回動自在に連結する支軸を介してＩＣ接点ブロックと連結し、ＩＣカードリーダとカード挿入方向手前側リンクとを回動自在に連結する支軸をＩＣカードリーダとカード挿入方向奥側リンクとを回動自在に連結する支軸よりもＩＣカードに近い位置に設けると共にカード挿入方向奥側リンクの長さをカード挿入方向手前側リンクの長さよりも長くすることにより、リンク機構が回動してＩＣ接点ブロックがＩＣカードのコンタクト端子パターンに接触するときにカード挿入方向奥側接点とカード挿入方向手前側接点とのカード接触開始時間に差が生じるようにしている。
【０００８】
したがって、カード挿入方向手前側接点とカード挿入方向奥側接点は、同時ではなく時間差をもってカード挿入に従い段階的にＩＣカードのコンタクト端子パターンに接触する。これにより、ＩＣ接点ブロックとＩＣカードとの接触に伴うカード挿入負荷の急増が抑えられる。
【０００９】
図８は、カード挿入口からのＩＣカードの移動距離Ｘと、カード挿入負荷Ｆとの関係の一例を示す。図中Ｇ１で示す部分は、ＩＣカードがＩＣ接点ブロックと接触前の状態を示す。この場合のカード挿入負荷は、例えばカード走行面の摩擦力やＩＣカードと磁気カード兼用のカードリーダであれば磁気ヘッドのパッド圧等によるもので、その値はＩＣ接点ブロックとの接触時に比べればずっと小さく、ＩＣカードの移動距離に関わらずほぼ一定である。図中の点Ａは、ＩＣカードとＩＣ接点ブロックとの接触開始点を示す。図中Ｇ２で示す部分は、ＩＣ接点ブロックのカード挿入方向奥側接点とカード挿入方向手前側接点とが同時にＩＣカードに接触する従来式のＩＣカードリーダのものである。複数の接点がカード挿入方向奥側及び手前側で一度にＩＣカードを加圧し始めるため、点Ａ以降でカード挿入負荷がＧ１の状態から急激に増加している。一方、図中Ｇ３で示す部分は、本発明のＩＣカードリーダのものである。本発明では、カード挿入方向手前側接点とカード挿入方向奥側接点とは、同時ではなく時間差をもって段階的にＩＣカードを加圧していくので、ＩＣカードの移動距離Ｘに対するカード挿入負荷Ｆの増加はＧ２と比してずっと緩やかとなる。即ち、カード挿入負荷の急激な増加が緩和される。
【００１１】
また、ＩＣ接点ブロックはカード挿入方向に対して平行ではなく傾きをもってＩＣカードに接近し接触する。これにより、カード挿入方向奥側接点とカード挿入方向手前側接点とのカード接触開始時間に差が生じて、カード挿入負荷の急激な増加が緩和される。
【００１２】
【発明の実施の形態】
以下、本発明の構成を図面に示す実施形態に基づいて詳細に説明する。
【００１３】
図１から図７に本発明のＩＣカードリーダの実施の一形態を示す。このＩＣカードリーダは、ＩＣ接点ブロック１をＩＣカード２のコンタクト端子パターンに向かって接触及び離脱させる接触・離脱機構３３を有するものであって、接触・離脱機構３３は、ＩＣ接点ブロック１の図中矢印Ｃで示すカード挿入方向（以下本実施形態では、カード挿入方向Ｃと呼ぶ。）奥側の接点８ａとカード挿入方向Ｃ手前側の接点８ｂとを、ＩＣカード２との接触開始時間（本明細書では、単に「カード接触開始時間」と呼ぶ。）に差を生じるようにＩＣカード２のコンタクト端子パターンに接触させるものである。
【００１４】
本実施形態におけるＩＣカードリーダは、例えば、ＩＣカード２の挿入によってＩＣ接点ブロック１を押し下げてＩＣカード２のコンタクト端子パターンに接触させ、ＩＣカード２との間でデータ通信を行う手動式のカードリーダである。
【００１５】
本実施形態における接触・離脱機構３３は例えばリンク機構であり（以下本実施形態では、接触・離脱機構をリンク機構３３と呼ぶ。）、カード挿入方向Ｃ奥側のリンク１７ａとカード挿入方向Ｃ手前側のリンク１７ｂとの長さを変えることにより、接点８ａと接点８ｂとのカード接触開始時間に差を生じるようにしている。
【００１６】
ＩＣ接点ブロック１は図示しないＩＣカードリーダにリンク１７ａ，１７ｂを介して取り付けられている。リンク１７ａ，１７ｂには各両端部に孔が開けられ、それぞれの孔と支軸１２ａ，１２ｂ，１６ａ，１６ｂは回動自在に嵌められている。なお、例えば本実施形態のＩＣ接点ブロック１は、図１紙面垂直方向に相対向するリンク１７ａ，１７ｂ（図示略）を加えて４本のリンク１７ａ，１７ａ，１７ｂ，１７ｂによって支持されている。即ち、４本のリンク１７ａ，１７ａ，１７ｂ，１７ｂによってリンク機構３３が構成され、ＩＣ接点ブロック１はＩＣカード２のコンタクト端子パターンに向かって接触及び離脱可能となる。
【００１７】
本実施形態では、カード挿入方向Ｃ奥側のリンク１７ａをカード挿入方向Ｃ手前側のリンク１７ｂより長めとしている。また、リンク１７ａ，１７ｂが垂直の状態、即ちＩＣ接点ブロック１がＩＣカード２に最も近づく状態において、ＩＣ接点ブロック１がＩＣカード２と平行となるように、支軸１２ａ，１２ｂを設けている。例えば、支軸１２ｂを支軸１２ａより図１中下方に設けて、リンク１７ａ，１７ｂが垂直の状態において、支軸１６ａ，１６ｂがカード走行路６下面から等しい距離となるようにしている。なお、図１中の一点鎖線で示す円３４は、リンク１７ｂの支軸１２ｂを中心とした回転の軌跡を示す。また、図１中の一点鎖線で示す円３５は、リンク１７ａの支軸１２ａを中心とした回転の軌跡を示す。
【００１８】
上昇用付勢手段例えばコイルばね７は、ＩＣ接点ブロック１を図１及び図４に示すように図中左上方向に持ち上げるように、例えば、支軸１６ｂからＩＣカードリーダの定点ｎに架設され、ＩＣ接点ブロック１を下フレーム５から離す方向に付勢している。この結果、ＩＣ接点ブロック１の垂下する力に抗する力が形成され、ＩＣ接点ブロック１はカード走行路６から離れた位置（以下本実施形態では、当該位置を待機位置１ａと呼ぶ。）にある。このとき、リンク１７ａ，１７ｂの長さの違いからＩＣ接点ブロック１は図１中左上方向にやや傾いて待機している。
【００１９】
ＩＣ接点ブロック１の図１中の右端は突状部３０として形成され、突状部３０のカード挿入口側の端面は、カード先端２ａと接触するカード当接面１０となっている。また、突状部３０のカード当接面１０の反対面側にはＩＣ接点ブロック１の移動を規制する図示しないカードリーダの定点に固定されたストッパ１３がある。
【００２０】
本実施形態では、図３，図６及び図７に示すＩＣ接点ブロック１がストッパ１３に当接した位置（以下本実施形態では、当該位置をストッパ当接位置１ｃと呼ぶ。）は、支軸１６ａが支軸１２ａよりも若干カード挿入方向Ｃ奥側となるように設定してある。例えば、図７で示すように、ストッパ当接位置１ｃにおいて、支軸１６ａからの下フレーム５に対する垂線と、支軸１２ａからの下フレーム５に対する垂線とは、位置差Ｌが生じる関係にある。かかる構成により、ＩＣカード２を押し込むことによってＩＣ接点ブロック１がストッパ１３に当接する際の振動や反作用を受けてＩＣ接点ブロック１がカード挿入口方向に戻された場合に、カード先端２ａとカード当接面１０が接触状態のまま後退して、接点８ａ，８ｂによるＩＣカード２への接触圧が最も強い位置であるリンク１７ａ，１７ｂが下フレーム５と垂直となる位置にて、ＩＣ接点ブロック１が停止するようにしている。
【００２１】
ＩＣ接点ブロック１の下フレーム５対向面には接点端子８が設けられている。その接点８ａ，８ｂは、カード挿入口よりカード走行路６を介してＩＣカード２が挿入されると、ＩＣカード２のコンタクト端子パターンに接触するものである。接点端子８は、例えば通電性の板ばねもしくは線状ばねであり、支持軸１８から傾斜した所定の距離をもって接点８ａ及び接点８ｂが形成され、支持軸１８を支点として接点８ａ及び接点８ｂを下フレーム５方向にＩＣカード２に対して付勢可能なように形成されている。接点端子８は、支軸１２ａ，１２ｂ方向に複数並設されており、接点８ａと接点８ｂとは対称もしくは同方向に設けられている。また、接点端子８の一端は所定回路に電気的に接続される接続部１４となっている。また、他端はＬ字状に折曲された規制部９となり、接点位置規制部材１５のフランジ面１９に接触することにより、接点８ａ，８ｂの最下降位置が制限されるように形成されている。なお、接点端子８は、例えば、ＩＣカード２が無い状態でＩＣ接点ブロック１がストッパ当接位置１ｃにあるとき、下フレーム５にほぼ接触する位置となるように設定してある。
【００２２】
接点８ａ，８ｂを図中上方向に押し上げる力が働かないときは、図４に示すように、規制部９は接点位置規制部材１５のフランジ面１９に接触した状態まで下降している。このことは、接点８ａ，８ｂに図４中上方向に押し上げる力が働くとき、付勢力に抗することになるので少なくとも付勢力に相当する加圧が加わることを意味する。つまり、カード走行路６にＩＣカード２が挿入されるとＩＣカ−ド２によって接点８ａ，８ｂが接点位置規制部材１５のフランジ面１９からもち上がり、ＩＣカード２には接点８ａ，８ｂにより付勢力に相当する圧力が加わることになる（図４から図６参照）。
【００２３】
以上のように構成されるＩＣカードリーダの動作の一例を説明する。
【００２４】
図１及び図４に示すＩＣ接点ブロック１が待機位置１ａにある状態で、カード挿入口からＩＣカード２がカード挿入方向Ｃに挿入される。やがてカード先端２ａは待機位置１ａにあるＩＣ接点ブロック１の突状部３０に突き当たり、ＩＣカード２がばね７の付勢力よりも強い力で押し込まれると、リンク機構３３により、ＩＣ接点ブロック１はストッパ１３で移動が阻止されるまでＩＣカード２とともに且つＩＣカード２に接近しながら移動する。
【００２５】
ここで、リンク１７ａ、１７ｂは長さが異なるため、ＩＣ接点ブロック１はカード挿入方向Ｃに対して平行ではなく傾きをもってＩＣカード２に接近し接触する。これにより、接点８ａと接点８ｂとのカード接触開始時間に差が生じる。即ち、先ずカード挿入方向Ｃ奧側の接点８ａが対応するＩＣカード２のコンタクト端子パターンに接触し、次いでカード挿入方向Ｃ手前側の接点８ｂが対応するＩＣカード２のコンタクト端子パターンに接触する（図２及び図５参照）。
【００２６】
ＩＣカード２の移動に伴い接点８ａ，８ｂが接点位置規制部材１５のフランジ面１９からもち上がり、ＩＣカード２には接点８ａ，８ｂにより付勢力に相当する圧力が加わるが、接点８ａと接点８ｂとは同時ではなく時間差をもって段階的にＩＣカード２のコンタクト端子パターンに接触するので、ＩＣ接点ブロック１とＩＣカード２との接触に伴うカード挿入負荷の急増が抑えられる。
【００２７】
両接点８ａ，８ｂがＩＣカード２に接触する図２及び図５に示す状態を経て、やがてＩＣ接点ブロック１がストッパ１３に当接して図３，図６及び図７に示すストッパ当接位置１ｃとなる。この状態で、支軸１６ａ，１６ｂはそれぞれ支軸１２ａ，１２ｂをカード挿入方向Ｃに若干（例えば図７に示すＬ）超えた位置にあり、ＩＣ接点ブロック１がストッパ１３に当接する際の振動や反作用を受けても、接点８ａ，８ｂによるＩＣカード２への接触圧が最も強い位置であるリンク１７ａ，１７ｂが下フレーム５と垂直となる位置でＩＣ接点ブロック１が停止するようにして、接点８ａ，8ｂがＩＣカード２のコンタクト端子パターンから外れることを防止している。
【００２８】
そして、接点８ａ，８ｂとＩＣカード２のコンタクト端子パターンが良好に接触した状態で、接点８ａ，８ｂを介してＩＣカードリーダとＩＣカード２との通信が行なわれる。
【００２９】
以上のように本発明のＩＣカードリーダによれば、カード挿入方向Ｃ手前側の接点８ｂとカード挿入方向Ｃ奥側の接点８ａは、同時ではなく時間差をもってカード挿入に従い段階的にＩＣカード２のコンタクト端子パターンに接触するので、ＩＣ接点ブロック１とＩＣカード２との接触に伴うカード挿入負荷の急増が抑えられる。図８に、カード挿入口からのＩＣカード２の移動距離Ｘと、カード挿入負荷Ｆとの関係の一例を示す。図中Ｇ１で示す部分は、ＩＣカード２がＩＣ接点ブロック１と接触前の状態を示す。この場合のカード挿入負荷は、例えばカード走行面の摩擦力やＩＣカード２と磁気カード兼用のカードリーダであれば磁気ヘッドのパッド圧等によるもので、その値はＩＣ接点ブロック１との接触時に比べずっと小さく、ＩＣカード２の移動距離に関わらずほぼ一定である。図中の点Ａは、ＩＣカード２とＩＣ接点ブロック１との接触開始点を示す。図中Ｇ２で示す部分は、ＩＣ接点ブロックのカード挿入方向奥側接点とカード挿入方向手前側接点とが同時にＩＣカードに接触する従来式のＩＣカードリーダのものである。複数の接点がカード挿入方向奥側及び手前側で一度にＩＣカード加圧し始めるため、点Ａ以降でカード挿入負荷がＧ１の状態から急激に増加している。一方、図中Ｇ３で示す部分は、本発明のＩＣカードリーダのものである。本発明では、カード挿入方向Ｃ手前側の接点８ｂとカード挿入方向Ｃ奥側の接点８ａとは、同時ではなく時間差をもって段階的にＩＣカード２を加圧していくので、ＩＣカード２の移動距離Ｘに対するカード挿入負荷Ｆの増加はＧ２と比して緩やかとなる。即ち、カード挿入負荷の急激な増加が抑えられ、カード挿入負荷が緩やかに変化する。これにより、磁気リードエラーの確率が低下し、さらに挿入負荷増加をＩＣカードリーダの利用者が挿入完了と間違えることがなくなり、ＩＣカード２との通信の信頼性も向上する。
【００３０】
なお、上述の実施形態は本発明の好適な実施の一例ではあるがこれに限定されるものではなく、本発明の要旨を逸脱しない範囲において種々変形実施可能である。
【００３１】
例えば、上述の実施形態では、ＩＣ接点ブロック１をＩＣカード２のコンタクト端子パターンに向かって接触及び離脱させる接触・離脱機構３３としてリンク機構を用いるものとしたが、これに限定されるものではなく、例えば、接触・離脱機構３３としてカム機構などを用いて、ＩＣ接点ブロック１のカード挿入方向Ｃ奥側の接点８ａとカード挿入方向Ｃ手前側の接点８ｂとをカード接触開始時間に差を生じるようにＩＣカード２のコンタクト端子パターンに接触させるものとしても良い。この場合も、上述の実施形態と同様に、カード挿入方向Ｃ手前側の接点８ｂとカード挿入方向Ｃ奥側の接点８ａとは、同時ではなく時間差をもって段階的にＩＣカード２を加圧していくので、カード挿入負荷の急激な増加が抑えられ、カード挿入負荷が緩やかに変化する。これにより、磁気リードエラーの確率が低下し、さらに挿入負荷増加をＩＣカードリーダの利用者が挿入完了と間違えることがなくなり、ＩＣカード２との通信の信頼性も向上する。
【００３２】
また、上述の実施形態では、先ずカード挿入方向Ｃ奥側の接点８ａがＩＣカード２に接触し次いでカード挿入方向Ｃ手前側の接点８ｂがＩＣカード２に接触するように接触・離脱機構３３を構成したが、必ずしもこれに限定されず、場合によっては、先ずカード挿入方向Ｃ手前側の接点８ｂがＩＣカード２に接触し次いでカード挿入方向Ｃ奥側の接点８ａがＩＣカード２に接触するように接触・離脱機構３３を構成するようにしても良い。
【００３３】
【発明の効果】
以上の説明から明らかなように、請求項１記載のＩＣカードリーダによれば、接触・離脱機構は、ＩＣ接点ブロックのカード挿入方向奥側接点とカード挿入方向手前側接点とをカード接触開始時間に差を生じるようにＩＣカードのコンタクト端子パターンに接触させるようにしているので、カード挿入負荷の急激な増加が抑えられ、カード挿入負荷が緩やかに変化する。これにより、磁気リードエラーの確率が低下し、さらに挿入負荷増加をＩＣカードリーダの利用者が挿入完了と間違えることがなくなり、ＩＣカードとの通信の信頼性も向上する。
【００３４】
さらに、接触・離脱機構をリンク機構として、カード挿入方向奥側リンクとカード挿入方向手前側リンクとの長さを変えることにより、カード挿入方向奥側接点とカード挿入方向手前側接点とのカード接触開始時間に差を生じるようにしているので、上記有用な効果を単純な構成により低コストで得ることができる。
【図面の簡単な説明】
【図１】本発明のＩＣカードリーダの実施の一形態を示し、ＩＣ接点ブロックが待機位置にある状態を示す概略側面図である。
【図２】同ＩＣカードリーダにおいて、ＩＣ接点ブロックのカード挿入方向奥側とカード挿入方向手前側の両接点がＩＣカードに接触した状態を示す概略側面図である。
【図３】同ＩＣカードリーダにおいて、ＩＣ接点ブロックがストッパに当接した状態を示す概略側面図である。
【図４】図１の状態におけるＩＣ接点ブロックの接点の状態を示す概略側断面図である。
【図５】図２の状態におけるＩＣ接点ブロックの接点の状態を示す概略側断面図である。
【図６】図３の状態におけるＩＣ接点ブロックの接点の状態を示す概略側断面図である。
【図７】図３の状態におけるＩＣ接点ブロックの接点の状態を示す拡大した概略側断面図である。
【図８】カード挿入口からのＩＣカードの移動距離（横軸）と、カード挿入負荷（縦軸）との関係の一例を示すグラフである。
【図９】従来の手動式ＩＣカードリーダのＩＣ接点ブロックを示し、ＩＣカード挿入前の状態の概略構成図である。
【図１０】従来の手動式ＩＣカードリーダのＩＣ接点ブロックを示し、カード停止位置までＩＣカードを挿入した状態の概略構成図である。
【符号の説明】
１  ＩＣ接点ブロック
２  ＩＣカード
８ａ  カード挿入方向奥側接点
８ｂ  カード挿入方向手前側接点
１７ａ  カード挿入方向奥側リンク
１７ｂ  カード挿入方向手前側リンク
３３  リンク機構（接触・離脱機構）
【図１】
0003824133.tif 000002
【図２】
0003824133.tif 000003
【図３】
0003824133.tif 000004
【図４】
0003824133.tif 000005
【図５】
0003824133.tif 000006
【図６】
0003824133.tif 000007
【図７】
0003824133.tif 000008
【図８】
0003824133.tif 000009
【図９】
0003824133.tif 000010
【図１０】
0003824133.tif 000011